(57)【特許請求の範囲】
【請求項１】
タッチスクリーンを含む携帯端末機のユーザインターフェース提供方法であって、
前記タッチスクリーン上に表示されたアイテムにスタイラス（ｓｔｙｌｕｓ）のアクセスが感知されたか否かを確認する段階と、
前記スタイラスのアクセスが感知された時、現在表示している画面上の前記スタイラスのアクセスが感知されたアイテムの領域に、前記スタイラスを用いて遂行可能な前記アイテムと関連した少なくとも一つの機能に対応する第１アフォーダンス（ａｆｆｏｒｄａｎｃｅ）イメージを出力する段階と、
前記スタイラスのアクセスを維持した状態で、前記スタイラスの移動が感知される場合、前記スタイラスの移動に従って、前記出力された第１アフォーダンスイメージを他のアイテムの領域に移動させる段階と、
前記スタイラスが前記タッチスクリーンに接触（ｃｏｎｔａｃｔ）する場合、前記第１アフォーダンスイメージが表示された領域に対応するアイテムの情報を用いて、前記第１アフォーダンスイメージに対応する少なくとも一つの機能を実行する段階と、を有し、
前記出力される第１アフォーダンスイメージは、前記スタイラスのアクセスが感知された位置に表示されたアイテムの種類に従って決定されることを特徴とする携帯端末機のユーザインターフェース提供方法。
【請求項２】
前記タッチスクリーン上に前記スタイラスと区別されるタッチ入力装置のアクセスが感知されたか否かを確認する段階と、
前記スタイラスと区別されるタッチ入力装置のアクセスが感知された時、前記スタイラスと区別されるタッチ入力装置のアクセスが感知された領域に、前記スタイラスと区別されるタッチ入力装置を用いて遂行可能な少なくとも一つの他の機能に対応する第２アフォーダンスイメージを出力する段階とをさらに有し、
前記少なくとも一つの他の機能は、前記スタイラスを用いて遂行可能な少なくとも一つの機能とは異なることを特徴とする請求項１に記載の携帯端末機のユーザインターフェース提供方法。
【請求項３】
前記スタイラスのアクセスが感知されたか否かを確認する段階は、電磁誘導方式のタッチパネルを通じてタッチ入力装置のアクセスが感知された場合、前記スタイラスがタッチ入力装置であると判断する段階を含むことを特徴とする請求項１に記載の携帯端末機のユーザインターフェース提供方法。
【請求項４】
前記スタイラスと区別されるタッチ入力装置のアクセスが感知されたか否かを確認する段階は、静電容量方式のタッチパネルを通じてタッチ入力装置のアクセスが感知された場合、前記スタイラスと区別されるタッチ入力装置がタッチ入力装置であると判断する段階を含むことを特徴とする請求項２に記載の携帯端末機のユーザインターフェース提供方法。
【請求項５】
前記第１アフォーダンスイメージ及び前記第２アフォーダンスイメージは、特定機能が設定された少なくとも一つの機能アイコンを含むことを特徴とする請求項２に記載の携帯端末機のユーザインターフェース提供方法。
【請求項６】
前記第１アフォーダンスイメージ及び前記第２アフォーダンスイメージに含まれる機能アイコンは、前記スタイラス又は前記スタイラスと区別されるタッチ入力装置がアクセスした領域に位置するアイテムの種類に従って変更されることを特徴とする請求項５に記載の携帯端末機のユーザインターフェース提供方法。
【請求項７】
前記タッチスクリーンにアクセスした状態で、前記スタイラス又は前記スタイラスと区別されるタッチ入力装置の移動が感知された場合、前記スタイラス又は前記スタイラスと区別されるタッチ入力装置の移動に従って、前記第１アフォーダンスイメージ又は前記第２アフォーダンスイメージを移動する段階をさらに有することを特徴とする請求項５に記載の携帯端末機のユーザインターフェース提供方法。
【請求項８】
スタイラスのアクセスを感知するタッチスクリーンと、
前記タッチスクリーン上に表示されたアイテムに前記スタイラスのアクセスを感知した時、現在表示している画面上の前記スタイラスのアクセスが感知されたアイテムの領域に前記スタイラスを用いて遂行可能な前記アイテムと関連した少なくとも一つの機能に対応する第１アフォーダンスイメージを出力するよう前記タッチスクリーンを制御し、
前記スタイラスのアクセスを維持した状態で、前記スタイラスの移動が感知される場合、前記スタイラスの移動に従って、前記出力された第１アフォーダンスイメージを他のアイテムの領域に移動させるように前記タッチスクリーンを制御し、前記スタイラスが前記タッチスクリーンに接触（ｃｏｎｔａｃｔ）する場合、前記第１アフォーダンスイメージが表示された領域に対応するアイテムの情報を用いて、前記第１アフォーダンスイメージに対応する少なくとも一つの機能を実行する制御部と、を有し、
前記制御部は、前記スタイラスのアクセスが感知された位置に表示されたアイテムの種類に従って、出力する第１アフォーダンスイメージを決定することを特徴とする携帯端末機のユーザインターフェース提供装置。
【請求項９】
前記制御部は、前記タッチスクリーン上に前記スタイラスと区別されるタッチ入力装置のアクセスが感知されたか否かを確認し、前記スタイラスと区別されるタッチ入力装置のアクセスが感知された時、前記スタイラスと区別されるタッチ入力装置のアクセスが感知された領域に、前記スタイラスと区別されるタッチ入力装置を用いて遂行可能な少なくとも一つの他の機能に対応する第２アフォーダンスイメージを出力するよう前記タッチスクリーンを制御し、前記少なくとも一つの他の機能は、前記スタイラスを用いて遂行可能な少なくとも一つの機能とは異なることを特徴とする請求項８に記載の携帯端末機のユーザインターフェース提供装置。
【請求項１０】
前記第１アフォーダンスイメージ及び前記第２アフォーダンスイメージは、特定機能が設定された少なくとも一つの機能アイコンを含むことを特徴とする請求項９に記載の携帯端末機のユーザインターフェース提供装置。
【請求項１１】
前記制御部は、前記スタイラス又は前記スタイラスと区別されるタッチ入力装置がアクセスした領域に位置するアイテムの種類に従って、前記第１アフォーダンスイメージ又は前記第２アフォーダンスイメージに含まれる機能アイコンを異ならせて表示するよう前記タッチスクリーンを制御することを特徴とする請求項１０に記載の携帯端末機のユーザインターフェース提供装置。
【請求項１２】
前記制御部は、前記タッチスクリーンにアクセスした状態で、前記スタイラス又は前記スタイラスと区別されるタッチ入力装置の移動が感知された場合、前記スタイラス又は前記スタイラスと区別されるタッチ入力装置の移動に従って、前記第１アフォーダンスイメージ又は前記第２アフォーダンスイメージが移動するよう制御することを特徴とする請求項１０に記載の携帯端末機のユーザインターフェース提供装置。
【請求項１３】
前記タッチスクリーンは、静電容量方式のタッチパネルと電磁誘導方式のタッチパネルとが結合された複合タッチパネルであることを特徴とする請求項８に記載の携帯端末機のユーザインターフェース提供装置。
【請求項１４】
前記制御部は、前記電磁誘導方式のタッチパネルを通じてタッチ入力装置のアクセスが感知される場合、前記スタイラスがアクセスしたと判断し、前記静電容量方式のタッチパネルを通じてタッチ入力装置のアクセスが感知される場合、前記スタイラスと区別されるタッチ入力装置がアクセスしたと判断することを特徴とする請求項１３に記載の携帯端末機のユーザインターフェース提供装置。
【請求項１５】
前記タッチスクリーンは、抵抗膜方式のタッチパネルと電磁誘導方式のタッチパネルとが結合された複合タッチパネルであることを特徴とする請求項８に記載の携帯端末機のユーザインターフェース提供装置。
【発明の詳細な説明】
【技術分野】
【０００１】
本発明は、携帯端末機のユーザインターフェース提供方法及びその装置に関し、特に、タッチスクリーンにタッチ入力装置のアクセスが感知されれば、タッチ入力装置に対するユーザインターフェースを提供する携帯端末機のユーザインターフェース提供方法及びその装置に関する。
【背景技術】
【０００２】
近年、情報通信技術と半導体技術などのすばらしい発展の影響で、携帯端末機の普及と利用が急速に増加している。
特に、最近の携帯端末機は、伝統的な固有機能に留まらず、他の端末機の機能領域まで合わせるモバイル融合（ｍｏｂｉｌｅ  ｃｏｎｖｅｒｇｅｎｃｅ）段階に至っている。
代表的に移動通信端末機の場合には、音声通話やメッセージ送受信のような一般的な通信機能の他にも、ＴＶ視聴機能（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）、音楽再生機能（例えば、ＭＰ３（ＭＰＥＧ  Ａｕｄｉｏ  Ｌａｙｅｒ−３））、写真撮影機能、データ通信機能、インターネット接続機能、及び近距離無線通信機能などの多様な機能を提供している。
【０００３】
このように多様な機能を提供するに従い、携帯端末機をより迅速で且つ便利に制御する必要性を感じるようになった。これにより、最近では、タッチスクリーンを備える携帯端末機が増加している。
タッチスクリーンは、指又はスタイラス（ｓｔｙｌｕｓ）のようなタッチ入力装置の接触を感知し、接触した位置を算出する。例えば、静電容量方式のタッチスクリーンは、タッチが発生すれば、タッチされた地点の静電容量が変わり、このような変化が予め設定した臨界値（Ｔｈｒｅｓｈｏｌｄ）を超過する場合、タッチイベントが発生したと判断して、静電容量が変化した位置を算出するアルゴリズムを通じてタッチイベントが発生した位置を算出する。
【０００４】
一方、従来の携帯端末機では、タッチスクリーンのタッチ入力方式である指又はスタイラスの区別なしに、同一のユーザインターフェースが提供されている。
これにより、タッチスクリーン上に提供されるユーザインターフェースの機能又は該当機能のイメージが不必要に複雑な構成を有する問題点があった。
例えば、指でタッチ入力をする場合、タッチ面積の小さいスタイラスに特化された不必要な機能が表示されることがある。
また、従来の携帯端末機は、所望の機能を実行するために、ユーザインターフェースの機能画面を表示するためのタッチ、及び機能画面上の所望の機能を実行するためのタッチなど、複数のタッチ動作を行わなければならないという問題が存在した。
【発明の概要】
【発明が解決しようとする課題】
【０００５】
本発明は上記従来のタッチスクリーンにおける問題点に鑑みてなされたものであって、本発明の目的は、タッチ入力装置のアクセスを感知するとき、アフォーダンス（Ａｆｆｏｒｄａｎｃｅ）イメージを出力する携帯端末機のユーザインターフェース提供方法及びその装置を提供することにある。
本発明の他の目的は、アクセスしたタッチ入力装置の種類によって互いに異なるアフォーダンスイメージを出力する携帯端末機のユーザインターフェース提供方法及びその装置を提供することにある。
【課題を解決するための手段】
【０００６】
上記目的を達成するためになされた本発明による携帯端末機のユーザインターフェース提供方法は、タッチスクリーンを含む携帯端末機のユーザインターフェース提供方法であって、前記タッチスクリーン上にスタイラス（ｓｔｙｌｕｓ）のアクセスが感知されたか否かを確認する段階と、前記スタイラスのアクセスを感知された時、前記スタイラスのアクセスが感知された領域に、前記スタイラスを用いて遂行可能な少なくとも一つの機能に対応する第１アフォーダンス（ａｆｆｏｒｄａｎｃｅ）イメージを出力する段階とを有することを特徴とする。
【０００７】
上記目的を達成するためになされた本発明による携帯端末機のユーザインターフェース提供装置は、スタイラスのアクセスを感知するタッチスクリーンと、前記スタイラスのアクセスを感知した時、前記スタイラスのアクセスが感知された領域に前記スタイラスを用いて遂行可能な少なくとも一つの機能に対応する第１アフォーダンスイメージを出力するよう前記タッチスクリーンを制御する制御部とを有することを特徴とする。
【発明の効果】
【０００８】
本発明に係る携帯端末機のユーザインターフェース提供方法及びその装置によれば、タッチスクリーン上にタッチ入力装置のアクセスが感知される場合、アフォーダンスイメージを出力し、アフォーダンスイメージに含まれたアイコンのうち一つをタッチして所望の機能を行うことができるという効果がある。
したがって、本発明は、複数のステップを経ずに所望の機能を速やかに行うことができる。また、本発明は、タッチ入力装置の種類に対応するアフォーダンスイメージを出力することができる。これにより、本発明は、状況によって適切なアフォーダンスイメージを提供してユーザの利便性を向上させることができるという効果がある。
【図面の簡単な説明】
【０００９】
【図１】本発明の実施形態に係る携帯端末機の構成及びスタイラスを概略的に示すブロック図である。
【図２】本発明の実施形態に係るタッチ入力装置のアクセスを感知する方法を説明するためのグラフである。
【図３】本発明の実施形態に係る携帯端末機のユーザインターフェース提供方法を説明するためのフローチャートである。
【図４】本発明の実施形態に係るスケジュール管理画面にスタイラスがアクセスした時、アフォーダンスイメージを提供するインターフェースの例を示した画面例示図である。
【図５】本発明の実施形態に係るホーム画面にスタイラスがアクセスした時、アフォーダンスイメージを提供するインターフェースの例を示した画面例示図である。
【図６】本発明の実施形態に係るアドレス帳画面にスタイラスがアクセスした時、アフォーダンスイメージを提供するインターフェースの例を示した画面例示図である。
【発明を実施するための形態】
【００１０】
次に、本発明に係る携帯端末機のユーザインターフェース提供方法及びその装置を実施するための形態の具体例を図面を参照しながら説明する。
【００１１】
添付した図面で同一の構成要素は、なるべく同一の符号で示すことに留意しなければならない。また、本発明の要旨を不明瞭にする公知機能および構成に対する詳細な説明は省略する。
一方、本明細書と図面に開示した本発明の実施形態は、本発明の技術内容を容易に説明し、本発明の理解を助けるために特定例を提示したものに過ぎず、本発明の範囲を限定するものではない。ここに開示された実施形態の他にも、本発明の技術的思想に基づいた他の変形例が実施可能であることは、本発明が属する技術分野で通常の知識を有する者に自明である。
【００１２】
詳細な説明に先立ち、本発明の実施形態に係る携帯端末機は、タッチスクリーンを備える電子機器であって、移動通信端末機、個人情報端末機（ＰＤＡ）、スマートフォン（Ｓｍａｒｔ  Ｐｈｏｎｅ）、タブレットＰＣ（Ｔａｂｌｅｔ  Ｐｅｒｓｏｎａｌ  Ｃｏｍｐｕｔｅｒ）、ＰＭＰ（Ｐｏｒｔａｂｌｅ  Ｍｕｌｔｉｍｅｄｉａ  Ｐｌａｙｅｒ）等を含む。
【００１３】
図１は、本発明の実施形態に係る携帯端末機１００の構成及びスタイラス２００を概略的に示すブロック図であり、図２は、本発明の実施形態に係るタッチ入力装置のアクセスを感知する方法を説明するためのグラフである。
【００１４】
図１及び図２を参照すると、本発明の実施形態に係る携帯端末機１００は、無線通信部１４０、タッチスクリーン１３０、格納部１２０、および制御部１１０の構成を含む。
タッチスクリーン１３０は、表示パネル１３１及びタッチパネル１３２を含む。
【００１５】
スタイラス２００（Ｓｔｙｌｕｓ）は、電磁誘導方式のタッチパネルで使用可能なペン形態のタッチ入力装置である。このために、スタイラス２００は、共振回路を含む。共振回路は、タッチスクリーン１３０で発生する電磁場（ＥｌｅｃｔｒｏＭａｇｎｅｔｉｃ  Ｆｉｅｌｄ）により共振し、共振によって誘導電流を生成する。共振によって生成された誘導電流は、タッチスクリーン１３０に電流変化を招く。すなわち、誘導電流による電流の変化を通じてタッチスクリーン１３０は、スタイラス２００のアクセス及びタッチを認識する。このようなスタイラス２００は、本発明の技術分野で通常の技術を有する者にとって自明であり、公知されたものであるため、詳細な説明を省略する。
【００１６】
無線通信部１４０は、基地局と通話（音声通話及び画像通話を含む）するための通信チャネル及びデータを送信するためのデータ通信チャネルなどを形成する。このために、無線通信部１４０は、送信される信号の周波数上昇変換及び増幅する無線周波数の送信部（図示せず）、受信される信号を低雑音増幅して周波数下降変換する無線周波数の受信部（図示せず）、及び受信信号と送信信号を分離する送受信分離部（図示せず）等を含む。
【００１７】
タッチスクリーン１３０は、入力機能および出力機能を行う。このために、タッチスクリーン１３０は、出力機能を行う表示パネル１３１及び入力機能を行うタッチパネル１３２を含む。
タッチパネル１３２は、電磁誘導方式及び静電容量方式が結合された複合タッチパネルで形成されてもよい。または、タッチパネル１３２は、電磁誘導方式及び抵抗膜方式が結合された複合タッチパネルで形成されてもよい。
【００１８】
タッチパネル１３２は、表示パネル１３１の前面に装着され、タッチ入力装置、例えば、ユーザの指又はスタイラス２００等の接触によってタッチイベントを生成し、生成されたタッチイベントを制御部１１０に伝達する。タッチパネル１３２は、タッチ入力装置の接触による物理的性質（例えば、静電容量、電流など）の変化を通じてタッチを認識し、タッチの種類（タップ、ドラッグ、フリック、ダブルタッチ、ロングタッチ、マルチタッチなど）及びタッチされた位置情報を制御部１１０に伝達する。
このようなタッチパネル１３２は、本発明の技術分野で通常の知識を有する者にとって自明なものであるため、詳細な説明は省略する。
【００１９】
特に、本発明に係るタッチパネル１３２は、タッチ入力装置のアクセス、タッチ、アクセス解除、及びタッチ解除を感知することができる。
これに対して、図２を参照して説明すると、タッチパネル１３２の静電容量Ｃ又は電流Ｉは、タッチ入力装置が徐々にアクセスして接触した後、接触が解除されるとき、図２に示したグラフのように変化する。ここで、静電容量Ｃ又は電流Ｉの変化が第１基準値Ａ以上であれば、タッチパネル１３２は、タッチ入力装置のアクセス（例えば、１〜２ｃｍ）を認識し、静電容量Ｃ又は電流Ｉの変化が第２基準値Ｂ以上であれば、タッチ入力装置がタッチパネル１３２に接触（タッチ）したものと認識する。
【００２０】
ここで、静電容量Ｃの変化及び電流Ｉの変化に対して図２の同一のグラフを用いて説明したが、これは説明の便宜のためのもので、実際に静電容量Ｃの変化グラフと電流Ｉの変化グラフは、類似する形態を有するだけであり、図２と完全に同一ではないことは、本発明の通常の知識を有する者にとって自明である。
このとき、タッチパネル１３２が、静電容量方式のタッチパネルと電磁誘導方式のタッチパネルとで形成された複合タッチパネルの場合、静電容量方式のタッチパネルは、ユーザの身体（例えば、指）のアクセス、接触（タッチ）及び接触（タッチ）解除を感知し、電磁誘導方式のタッチパネルは、スタイラス２００のアクセス、接触（タッチ）及び接触（タッチ）解除を感知することができる。
【００２１】
スタイラス２００のアクセスを感知したときのみにアフォーダンスイメージを出力しようとする場合、タッチパネル１３２は、電磁誘導方式のタッチパネル及び抵抗膜方式のタッチパネルが結合された複合タッチパネルであってもよい。
【００２２】
表示パネル１３１は、携帯端末機１００の各種メニューをはじめとして、ユーザが入力した情報又はユーザに提供する情報を表示する。
すなわち、表示パネル１３１は、携帯端末機１００の利用による多様な画面、例えば、待機画面（ホーム画面）、メニュー画面、メッセージ作成画面、通話画面、スケジュール管理画面、アドレス帳画面などを提供する。
特に、本発明の表示パネル１３１は、制御部１１０の制御下でタッチ入力装置のアクセスを感知するとき、アフォーダンスイメージを出力することができる。
これに対する説明は、画面例示図を参照して後述する。
【００２３】
このような表示パネル１３１は、液晶表示装置（Ｌｉｑｕｉｄ  Ｃｒｙｓｔａｌ  Ｄｉｓｐｌａｙ：ＬＣＤ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）等で形成される。
【００２４】
格納部１２０は、携帯端末機１００のオペレーティングシステム（ＯＳ、Ｏｐｅｒａｔｉｎｇ  Ｓｙｓｔｅｍ）をはじめとして、その他のオプション（ｏｐｔｉｏｎｓ）機能、例えば、音声再生機能、イメージ又は動画の再生機能、放送再生機能などに必要なアプリケーションをはじめとして、ユーザデータ及び通信時に送受信されるデータなどを格納する。
例えば、格納部１２０は、タッチスクリーン１３０の運用のためのキーマップやメニューマップなどを格納する。ここで、キーマップ、メニューマップは、それぞれ多様な形態で構成される。例えば、キーマップは、キーボードマップや３×４キーマップ、Ｑｗｅｒｔｙキーマップであってもよく、現在活性化されているアプリケーションの運用制御のための制御キーマップであってもよい。また、メニューマップは、現在活性化されているアプリケーションの運用制御のためのメニューマップであってもよい。
【００２５】
また、格納部１２０は、文字メッセージ、ゲームファイル、音楽ファイル、映画ファイル、連絡先などを格納することができる。特に、本発明に係る格納部１２０は、タッチ入力装置のアクセス時、アフォーダンス（ａｆｆｏｒｄａｎｃｅ）イメージを出力するプログラムを格納する。アフォーダンスイメージは、タッチ入力装置がアクセスしたアイテムの種類及びタッチ入力装置の種類によって変わる。
例えば、スケジュール管理画面の特定スケジュールにスタイラス２００がアクセスする場合、アフォーダンスイメージは、スケジュールの期限変更機能が設定された期限変更イメージになってもよく、ホーム画面の特定アイコンにスタイラス２００がアクセスする場合、アフォーダンスイメージは、アイコンの移動機能が設定された移動アフォーダンスイメージになってもよい。又は、アドレス帳画面の特定連絡先にスタイラス２００がアクセスする場合、アフォーダンスイメージは、しばしば使用する機能、すなわち、通話アイコン、文字アイコン、Ｅメールアイコン、及びインスタントメッセージアイコンなどを含む機能アフォーダンスイメージになってもよい。
【００２６】
一方、スケジュール管理画面の特定スケジュールに指がアクセスする場合、アフォーダンスイメージは、スケジュール削除機能が設定された削除アフォーダンスイメージになり、ホーム画面の特定アイコンに指がアクセスする場合、アフォーダンスイメージは、アイコン複写機能が設定された複写アフォーダンスイメージになってもよく、アドレス帳画面の特定連絡先に指がアクセスする場合、アフォーダンスイメージは、出力されない場合がある。
しかしながら、これらは、一例に過ぎず、本発明を限定するものではない。すなわち、タッチ入力装置のアクセス時、出力されるアフォーダンスイメージに設定される機能は、設計者の意図によって多様に変更され得る。
【００２７】
一方、格納部１２０は、アフォーダンスイメージを表示するアフォーダンス表示モードのオン／オフ（ＯＮ／ＯＦＦ）を設定し、アフォーダンスイメージに設定された機能を変更するプログラムを格納することができる。
すなわち、前記プログラムは、ユーザがアフォーダンスイメージの表示モードを活性化した場合のみに、タッチ入力装置のアクセス時、アフォーダンスイメージを出力することができる。また、前記プログラムは、アフォーダンスイメージに設定された機能をユーザが要請した機能に変更することができる。
【００２８】
制御部１１０は、携帯端末機１００の全般的な動作及び携帯端末機１００の内部ブロック間の信号の流れを制御し、データを処理するデータ処理機能を行う。特に、本発明に係る制御部１１０は、タッチ入力装置のアクセスを感知したとき、予め設定されたアフォーダンスイメージを出力し、アフォーダンスイメージ上にタッチイベントが発生する場合、アフォーダンスイメージに設定された機能を行うよう各構成を制御する。
このとき、制御部１１０は、タッチスクリーン１３０にアクセスしたタッチ入力装置の種類（例えば、指又はスタイラス２００）により、他のアフォーダンスイメージを出力することができる。このような制御部１１０の詳細な説明は、図２〜図６を参照して説明する。
【００２９】
一方、図１に示していないが、携帯端末機１００は、近距離無線通信のための近距離通信モジュール、放送受信のための放送受信モジュール、ＭＰ３モジュールのようなデジタル音源再生モジュール、及びインターネット機能を行うインターネット通信モジュールなどの付加機能を有する構成要素を選択的にさらに含んでもよい。
このような構成要素は、デジタル機器のコンバージェンス（ｃｏｎｖｅｒｇｅｎｃｅ）の傾向により変形が非常に多様であって、全部列挙することはできないが、本発明に係る携帯端末機１００は、前記言及された構成要素と同等な水準の構成要素をさらに含んでもよい。
【００３０】
図３は、本発明の実施形態に係る携帯端末機のユーザインターフェース提供方法を説明するためのフローチャートである。
以下では、静電容量方式および電磁誘導方式のタッチパネルが結合された複合タッチパネルを例に挙げて説明する。
図１〜図３を参照すると、本発明の実施形態に係る携帯端末機１００の制御部１１０は、ステップＳ３０１で電源部から供給される電源を携帯端末機１００の各構成に供給するよう制御する。
【００３１】
その後、制御部１１０は、ステップＳ３０３でタッチ入力装置（例えば、スタイラス２００、指など）のアクセスが感知されたか否かを確認する。
詳細には、タッチ入力装置がタッチスクリーン１３０にアクセスすれば、静電容量又は電流の変化が発生する。タッチパネル１３２は、静電容量又は電流の変化を感知し、これを制御部１１０に伝達する。伝達された静電容量又は電流の変化が第１基準値以上の場合、制御部１１０は、タッチスクリーン１３０の一定領域にタッチ入力装置がアクセスしたと判断する。このとき、制御部１１０は、タッチ入力装置のアクセスが感知された位置を算出することができる。
【００３２】
タッチ入力装置のアクセスが感知されなければ、制御部１１０は、ステップＳ３０３を維持することができる。
その反面、タッチ入力装置のアクセスが感知されれば、制御部１１０は、ステップＳ３０５でアクセスが感知されたタッチ入力装置の種類を判別する。例えば、制御部１１０は、感知されたタッチ入力装置がスタイラス２００であるか、指であるかを判別することができる。
【００３３】
タッチ入力装置の種類の判別は、公知された多様な技術を利用することができる。
このために、制御部１１０は、静電容量方式のタッチパネルでアクセスが感知される場合には、指がアクセスしたと判別し、電磁誘導方式のタッチパネルでアクセスが感知される場合には、スタイラス２００がアクセスしたと判別することができる。
しかしながら、本発明がこれに限定されるものではない。すなわち、本発明は、タッチ入力装置の種類を判別する技術として公知された多様な技術を利用することができる。
【００３４】
上記判別の結果、スタイラス２００の場合、すなわち、電磁誘導方式のタッチパネルを通じてスタイラスのアクセスが感知された場合、制御部１１０は、ステップＳ３０７でアクセスが感知された位置に第１アフォーダンスイメージを出力する。
第１アフォーダンスイメージは、スタイラス２００に特化された機能（すなわち、精巧なタッチが要求される機能）の遂行を誘導する少なくとも一つのアイコンを含む。これに対する詳細な説明は、図４〜図６を参照して後述する。
【００３５】
その反面、上記判別の結果、スタイラス２００ではない場合、すなわち、静電容量方式のタッチパネルを通じてスタイラスとは区別されるタッチ入力装置（例えば、指）のアクセスが感知される場合、制御部１１０は、ステップＳ３０９で第１アフォーダンスイメージと区別される第２アフォーダンスイメージを出力することができる。第２アフォーダンスイメージは、スタイラス２００のように精巧なタッチを必要としない機能を含む。
【００３６】
次に、制御部１１０は、ステップＳ３１１でタッチ入力信号が発生するか否かを確認する。
このために、制御部１１０は、タッチされたかどうかを判断するために、予め設定された第２基準値以上に静電容量又は電流の変化が発生したか否かを確認する。このとき、ステップＳ３０７で進行した場合、ステップＳ３１１は、第１アフォーダンスイメージの表示領域又は他の領域でタッチイベントが発生したか否かを確認するステップであり、ステップＳ３０９で進行した場合、ステップＳ３１１は、第２アフォーダンスイメージの表示領域又は他の領域でタッチイベントが発生したか否かを確認するステップになる。
【００３７】
タッチ入力信号が発生しなければ、制御部１１０は、ステップＳ３１５でタッチ入力装置のアクセス解除に対応する信号が入力されたか否かを確認する。
タッチ入力装置のアクセス解除に対応する信号が入力された場合、制御部１１０は、ステップＳ３１７で第１アフォーダンスイメージ又は第２アフォーダンスイメージを除去し、ステップＳ３０３にもどって、上述した工程を繰り返す。
【００３８】
反対に、タッチ入力信号が発生すれば、制御部１１０は、ステップＳ３１３で入力されたタッチ信号に対応する機能を行うよう制御する。
例えば、制御部１１０は、第１アフォーダンスイメージにタッチイベントが発生した場合、第１アフォーダンスイメージに設定された機能を行い、第２アフォーダンスイメージでタッチイベントが発生した場合、第２アフォーダンスイメージに設定された機能を行い、他の領域（例えば、アイテム）でタッチイベントが発生した場合、他の領域に設定された機能を行う。入力されたタッチ信号に対応する機能の遂行が完了すれば、制御部１１０は、ステップＳ３０３にもどって、上述した工程を繰り返して行う。
【００３９】
タッチ入力装置のアクセスが感知され、第１アフォーダンスイメージ又は第２アフォーダンスイメージが出力された状態で、タッチスクリーン１３０のタッチが感知されず、タッチ入力装置の移動が感知される場合、制御部１１０は、タッチ入力装置の移動によって第１アフォーダンスイメージ又は第２アフォーダンスイメージが移動するよう制御する。
【００４０】
または、タッチ入力装置が移動する場合、タッチ入力装置のアクセスが感知された位置に存在するアイテムの属性によって、アフォーダンスイメージが変更され得る。
例えば、タッチ入力装置が音楽ファイルアイテム上にアクセスが感知される場合、音楽再生に関連する機能（再生、中止、再生ファイルリストに追加など）を含むアフォーダンスイメージが出力され、タッチ入力装置が個別ユーザの連絡先に対するショートカットアイテム上に移動する場合、連絡先に関連する機能（通話、文字、Ｅメールなど）を含むアフォーダンスイメージを出力する。
【００４１】
また、図３でタッチスクリーン１３０にアクセスしたタッチ入力装置がスタイラス２００ではない場合、すなわち、静電容量方式のタッチパネルを通じて指のアクセスが感知された場合、制御部１１０が第２アフォーダンスイメージを出力するよう制御すると説明したが、本発明の他の実施形態として、スタイラスではないタッチ入力装置（例えば、指）のアクセスが無視されるように処理することも可能である。
例えば、制御部１１０は、スタイラス２００ではないタッチ入力装置がアクセスする場合、何のイメージも出力されないように制御することができる。
【００４２】
すなわち、本発明の他の実施形態に係る制御部１１０は、スタイラス２００のアクセスが感知された時のみに、予め設定されたアフォーダンスイメージが出力されるように制御することができる。
このようにスタイラス２００のアクセスが感知された時のみにアフォーダンスイメージを出力する場合、タッチパネル１３２は、スタイラス２００のアクセスを感知するための電磁誘導方式のタッチパネルと、指のタッチを感知できる多様な方式（例えば、静電容量方式、抵抗膜方式）のタッチパネルとが結合された複合タッチパネルで形成される。一方、スタイラスと区別されるタッチ入力装置は、指の以外に導電性繊維のように特殊材質で製作されたタッチ手袋、静電式スタイラス、及び導電性スタイラスなどを含んでもよい。
【００４３】
また、本発明は、ステップＳ３０１の後、又はステップＳ３０３の後、アフォーダンスイメージの表示モードが活性化したか否かを確認する段階をさらに含んでもよい。
この確認の結果、アフォーダンスイメージの表示モードが活性化した場合、制御部１１０は、以降の工程を行い、アフォーダンスイメージの表示モードが活性化しない場合、タッチスクリーン１３０で発生するタッチイベントのみを感知し、感知されたタッチイベントによる機能を行うことができる。
【００４４】
図４は、本発明の実施形態に係るスケジュール管理画面にスタイラスがアクセスした時、アフォーダンスイメージを提供するインターフェースの例を示した画面例示図である。
図１〜図４を参照すると、本発明の実施形態に係る表示パネル１３１は、スケジュール管理画面を表示するように支援する。スケジュール管理画面は、符号４１０の画面例示図に示すように、ユーザが予め登録した複数のスケジュールを日付及び時間に区分して表示する。
【００４５】
スケジュール管理画面において、食事スケジュール１が表示された位置でスタイラス２００のアクセスが感知されれば、制御部１１０は、符号４２０の画面例示図に示すように、食事スケジュール１の期限を調節できる“＿”形態の期限変更アフォーダンスイメージ４１を出力するよう表示パネル１３１を制御する。期限変更アフォーダンスイメージ４１が“＿”形態に表示することに限定されない。すなわち、期限変更アフォーダンスイメージ４１は、設計者の意図によって多様な形態に表現される。
【００４６】
期限変更アフォーダンスイメージ４１が出力された状態で、食事スケジュール１の期限を変更しようとする場合、符号４３０の画面例示図に示すように、ユーザは、期限変更アフォーダンスイメージ４１をスタイラス２００でタッチした後、タッチ移動（例えば、ドラッグ）することにより、食事スケジュール１の終了時間を変更することができる。その反面、食事スケジュール１の表示領域のうち期限変更アフォーダンスイメージ４１ではない領域でタッチが感知される場合、制御部１１０は、対応する機能（例えば、詳細内訳を見ること）を行うよう制御することができる。
【００４７】
以上では、期限変更アフォーダンスイメージ４１がタッチされた場合、制御部１１０は、期限変更機能を行うように制御し、食事スケジュール１の表示領域のうち期限変更アフォーダンスイメージ４１が出力されない領域がタッチされる場合、食事スケジュール１の選択に対応する機能（詳細内訳の出力）を行うように制御することを説明した。
しかしながら、本発明はこれに限定されるものではない。例えば、本発明の他の例では、食事スケジュール１の表示領域を食事スケジュール１の表示領域の枠から一定の距離までを第１仮想領域に設定し、食事スケジュール１の表示領域に含まれて第１仮想領域を除いた第２仮想領域に設定することができる。
【００４８】
第１仮想領域にスタイラス２００がアクセスしたと判断された場合、制御部１１０は、期限変更が可能であることを表示する期限変更アフォーダンスイメージ４１を表示するよう制御する。
第２仮想領域にスタイラス２００がアクセスしたと判断されれば、制御部１１０は、食事スケジュール１の選択が可能であることを知らせる選択アフォーダンスイメージを表示するか、アフォーダンスイメージの表示を省略するように制御することができる。
【００４９】
以上、上述した本発明は、スタイラス２００のアクセスを感知したとき、食事スケジュール１の表示領域の一側に期限変更アフォーダンスイメージ４１を表示することにより、食事スケジュールの期間を容易に変更することができる。
しかしながら、従来では、複数のステップを経てスケジュールの期限を変更しなければならなかった。例えば、従来では、スケジュールをロングタッチして期限変更モードを活性化し、スケジュールの期限を変更しなければならなかった。または、従来では、スケジュールをタッチして詳細内訳を出力し、詳細内訳の画面でスケジュールの期限を変更しなければならなかった。
すなわち、本発明は、従来に比べてスケジュールの期限を速くて、容易に且つ便利に変更することができ、ユーザの利便性を向上させることができる。
【００５０】
一方、図４では、スケジュールの終了時間を変更できる期限変更アフォーダンスイメージのみを表示することを示したが、本発明はこれに限定されるものではない。
すなわち、例えば、制御部１１０は、スタイラス２００のアクセスを感知したとき、スケジュールの開始時間、開始日付、及び終了日付を変更できる期限変更アフォーダンスイメージをさらに出力してもよい。
【００５１】
また、図４には示していないが、スタイラス２００と区別されるタッチ入力装置（例えば、指）のアクセスが感知された場合、制御部１１０は、アクセスの感知を無視することができる。
すなわち、制御部１１０は、スタイラス２００ではないタッチ入力装置（例えば、指）のアクセス時、何のイメージも出力されないよう制御することができる。これは、指を利用してスケジュール表示領域の一側に表示される比較的小さい大きさを有するアフォーダンスイメージをタッチし難いためである。このとき、ユーザは、従来のようにスケジュールをタッチして詳細内訳を確認するか、スケジュールをロングタッチしてスケジュール期限変更モードを活性化することができる。
【００５２】
本発明のさらに他の例において、スタイラス２００と区別されるタッチ入力装置（例えば、指）のアクセスが感知された場合、制御部１１０は、スタイラス２００のアクセスを感知した時に表示されるアフォーダンスイメージ（例えば、期限変更アフォーダンスイメージ）とは異なる他のアフォーダンスイメージを出力することができる。
例えば、制御部１１０は、スケジュールの選択が可能であることを知らせるアフォーダンスイメージを出力することができる。
【００５３】
図５は、本発明の実施形態に係るホーム画面にスタイラスがアクセスした時、アフォーダンスイメージを提供するインターフェースの例を示した画面例示図である。
図５を参照すると、本発明の実施形態に係る制御部１１０は、ホーム画面を表示するよう表示パネル１３１を制御する。
ホーム画面は、符号５１０の画面例示図に示すように、複数のアイコンを複数行複数列に配置して表示することができる。
【００５４】
ホーム画面でスタイラス２００のアクセスが感知されれば、制御部１１０は、符号５２０の画面例示図に示すように、スタイラス２００がアクセスした音楽アイコン２の一側にアイコン移動機能が設定された移動アフォーダンスイメージ５１を出力するよう制御する。
図５では、移動アフォーダンスイメージ５１が「▲」のような形態を有し、音楽アイコン２の右側下端に表示されることを示したが、本発明はこれに限定されるものではない。すなわち、移動アフォーダンスイメージ５１の形態及び表示位置は、多様に設定されてもよい。
【００５５】
移動アフォーダンスイメージ５１が音楽アイコン２の一側に出力された状態で、ユーザは、符号５３０の画面例示図に示すように、移動アフォーダンスイメージ５１をスタイラス２００でタッチした後、タッチ移動（例えば、ドラッグ）することにより、音楽アイコン２の位置を変更する。一方、音楽アイコン２の表示領域でタッチが感知された場合、制御部１１０は、音楽アイコン２に設定された音楽再生機能を行うよう制御する。
【００５６】
このように本発明は、従来のような複数のステップを経ずに、アイコンの移動を容易に行うことができる。
詳細には、従来では、音楽アイコン２をロングタッチしてアイコン移動機能を活性化した後、ドラッグを通じてアイコンを移動しなければならなかった。しかしながら、本発明は、スタイラス２００のアクセスを感知したとき、アイコンの一側に表示される移動アフォーダンスイメージをタッチした後、ドラッグすることにより、アイコン移動機能を素早く、容易に且つ便利に行うことができる。
【００５７】
一方、図４で上述したように、音楽アイコン２を第１仮想領域と第２仮想領域に区分し、第１仮想領域にスタイラス２００のアクセスが感知された場合、制御部１１０は、移動アフォーダンスイメージを出力し、第２仮想領域にスタイラス２００のアクセスが感知された場合、制御部１１０は、選択に対応する選択アフォーダンスイメージを出力するか、何のイメージも出力しないよう制御する。
【００５８】
一方、図５では、ホーム画面に表示されたアイコンの位置を変更することを説明したが、本発明はこれに限定されるものではない。
例えば、制御部１１０は、スタイラス２００のアクセスを感知したとき、アイコンの大きさを変更する大きさ変更アフォーダンスイメージを表示することも可能である。大きさ変更アフォーダンスイメージは、ホーム画面に天気ウィジェット、スケジュールウィジェットのように大きさの変更が可能なウィジェットに適用される。
【００５９】
また、図５には示していないが、スタイラス２００ではないタッチ入力装置（例えば、指）のアクセスが感知された場合、制御部１１０は、アクセスの感知を無視することができる。
すなわち、制御部１１０は、スタイラス２００ではないタッチ入力装置（例えば、指）のアクセス時、何のイメージも出力されないよう制御することができる。これは、アイコンの表示領域の一側に表示される比較的小さい大きさを有するアフォーダンスイメージを指を利用してタッチし難いためである。このとき、ユーザは、従来のようにアイコンをロングタッチしてアイコン移動機能を行うことができる。
【００６０】
本発明のさらに他の例において、スタイラス２００ではないタッチ入力装置（例えば、指）のアクセスが感知された場合、制御部１１０は、スタイラス２００のアクセス感知時に表示されるアフォーダンスイメージ（例えば、移動アフォーダンスイメージ）とは異なる他のアフォーダンスイメージを出力することができる。
例えば、制御部１１０は、音楽アイコン２の選択が可能であることを知らせるアフォーダンスイメージを出力することができる。
【００６１】
図６は、本発明の実施形態に係るアドレス帳画面にスタイラスがアクセスした時、アフォーダンスイメージを提供するインターフェースの例を示した画面例示図である。
図６を参照すると、本発明の実施形態に係る制御部１１０は、アドレス帳画面を表示するよう表示パネル１３１を制御する。アドレス帳画面は、符号６１０の画面例示図に示すように、携帯端末機１００に登録された連絡先をリスト形態で表示する。
【００６２】
アドレス帳画面で第１連絡先フィールド３にスタイラス２００のアクセスが感知されれば、制御部１１０は、符号６２０の画面例示図に示すように、第１連絡先フィールド３の一側に機能アフォーダンスイメージ６１を出力するよう制御する。
機能アフォーダンスイメージ６１は、該当連絡先に登録された情報（電話番号、Ｅメールアドレス、インスタントメッセージＩＤなど）を利用して行うことができる機能を示すアイコン、例えば、通話アイコン、文字アイコン、Ｅメールアイコン、インスタントメッセージアイコンを含んでもよい。
【００６３】
機能アフォーダンスイメージ６１が出力された状態で、ユーザは、機能アフォーダンスイメージ６１に含まれたアイコンのうちいずれか一つをスタイラス２００でタッチして、該当機能を行うことができる。例えば、ユーザが通話アイコンをタッチする場合、制御部１１０は、該当連絡先の電話番号を利用して通話を要請することができる。
一方、第１連絡先フィールド３の表示領域のうち機能アフォーダンスイメージ６１が表示されない領域をタッチする場合、制御部１１０は、第１連絡先の詳細情報画面を出力することができる。
【００６４】
一方、ユーザが機能アフォーダンスイメージ６１に含まれたアイコンをタッチせずに、スタイラス２００を他の連絡先フィールドに移動する場合、制御部１１０は、機能アフォーダンスイメージ６１を他の連絡先フィールドに移動させることができる。
例えば、符号６３０の画面例示図に示すように、ユーザがスタイラス２００を第２連絡先フィールド４に移動する場合、制御部１１０は、機能アフォーダンスイメージ６１を第２連絡先フィールド４の一側に表示するように制御する。
【００６５】
以上、上述した本発明は、従来のように複数のステップを経ずに、特定機能を容易に行うことができる。詳細には、従来では、連絡先フィールドをタッチ又はロングタッチして機能リストをポップアップウィンドウ形態で出力させた後、所望の機能（文字、通話、Ｅメールなど）を選択しなければならなかった。
しかしながら、本発明は、スタイラス２００のアクセスを感知したとき、連絡先フィールドの一側に表示される機能アフォーダンスイメージに含まれたアイコンの内のいずれか一つをタッチすることにより、所望の機能を素早く、容易に且つ便利に行うことができる。
【００６６】
また、図６には示していないが、スタイラス２００ではないタッチ入力装置（例えば、指）のアクセスが感知された場合、制御部１１０は、アクセスの感知を無視することができる。すなわち、制御部１１０は、スタイラス２００ではないタッチ入力装置（例えば、指）のアクセス時、何のイメージも出力されないよう制御することができる。
これは、アイコンの表示領域の一側に表示される比較的小さい大きさを有するアフォーダンスイメージを指を利用してタッチし難いためである。例えば、ユーザが指を利用して文字メッセージアイコンのタッチを試みるとき、比較的大きな大きさを有する指により、通話アイコンに先にタッチしてしまう問題が発生し得る。
【００６７】
上述した本発明の実施形態に係る携帯端末機のユーザインターフェース提供方法は、多様なコンピュータ手段を通じて行われるプログラム命令形態に実現され、コンピュータで読取可能な記録媒体に記録される。
このとき、コンピュータで読取可能な記録媒体は、プログラム命令、データファイル、データ構造などを単独で又は組み合わせて含む。一方、記録媒体に記録されるプログラム命令は、本発明のために特別に設計されて構成されたものであるか、コンピュータソフトウェア当業者に公知されて使用可能になったものであってもよい。
【００６８】
コンピュータで読取可能な記録媒体には、ハードディスク、フロッピー（登録商標）ディスク及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ、ＲＡＭ、フラッシュメモリなどのようなプログラム命令を格納して行うように特別に構成されたハードウェア装置が含まれる。
また、プログラム命令には、コンパイラによって作られるような機械語コードだけでなく、インタープリタなどを使用してコンピュータによって実行される高級言語コードを含む。上述したハードウェア装置は、本発明の動作を行うために一つ以上のソフトウェアモジュールとして作動するように構成される。
【００６９】
以上、上述した本発明は、スタイラス２００のアクセスが感知された場合、タッチ面積が小さいスタイラスを通じて制御可能な機能、すなわち、精密なタッチが要求される機能を含むアフォーダンスイメージを出力し、スタイラス２００のアクセスが感知されない場合、すなわち、指のアクセスが感知される場合、精密なタッチが要求されない機能を含むアフォーダンスイメージを出力するように表示パネル１３１を制御することができる。
したがって、本発明は、状況によって適切なアフォーダンスイメージを出力し、不必要なイメージを画面に出力せず、ユーザの利便性を向上させることができる。また、本発明は、タッチ感知時ではないタッチアクセスの感知時、アフォーダンスイメージを出力することにより、ユーザーが所望する機能をより速く実行することができる。
【００７０】
尚、本発明は、上述の実施形態に限られるものではない。本発明の技術的範囲から逸脱しない範囲内で多様に変更実施することが可能である。
【符号の説明】
【００７１】
１００    携帯端末機
１１０    制御部
１２０    格納部
１３０    タッチスクリーン
１３１    表示パネル
１３２    タッチパネル
１４０    無線通信部
２００    スタイラス
【図１】
0006309705.tif 000002
【図２】
0006309705.tif 000003
【図３】
0006309705.tif 000004
【図４】
0006309705.tif 000005
【図５】
0006309705.tif 000006
【図６】
0006309705.tif 000007